(57)【要約】 【課題】  スペーサが不要で且つ大きさが異なる収容物にも対応できる収容箱を提供する。【解決手段】  収容箱１０は、上面側が開口する略箱型をなすとともにその開口部１２から液晶パネルＰを収容可能な収容箱本体１１を備える。収容箱本体１１は、互いの壁面同士が重なった状態でスライド可能に組み付けられる一対の分割体１４，１５により構成される。両分割体１４，１５は、保持手段によって互いに壁面の重なる量が異なる複数の位置にてスライド不能に保持されるようになっている。【選択図】  図３
2007008559.tif 000002
【特許請求の範囲】
【請求項１】
少なくとも一面が開口する略箱型をなすとともにその開口部から収容物を収容可能な収容箱本体を備えた収容箱において、
前記収容箱本体は、互いの壁面同士が重なった状態でスライド可能に組み付けられる一対の分割体により構成されるとともに、両分割体を互いの壁面の重なり量が異なる複数の位置にてスライド不能に保持可能な保持手段を備えていることを特徴とする収容箱。
【請求項２】
前記保持手段は、前記両分割体のうち片方の分割体に設けられるとともに両分割体のスライド方向について異なる位置に配された複数の第１保持孔と、もう片方の分割体に設けられるとともに前記第１保持孔に対して連通可能な第２保持孔と、互いに連通した第１保持孔及び第２保持孔に挿入されるとともに第１保持孔及び第２保持孔の周縁に係止可能な保持部品とから構成されていることを特徴とする請求項１記載の収容箱。
【請求項３】
前記両分割体のうちいずれか一方の分割体における前記スライド方向に沿った壁部の端面には、他方の分割体における前記スライド方向に沿った壁部を内嵌可能な溝部が設けられ、前記他方の分割体における前記壁部が、前記一方の分割体における前記溝部の内面によって挟まれた状態でスライド可能とされていることを特徴とする請求項１または請求項２記載の収容箱。
【請求項４】
前記請求項２に記載のものにおいて、
前記両分割体のうちいずれか一方の分割体における前記スライド方向に沿った壁部の端面には、他方の分割体における前記スライド方向に沿った壁部を内嵌可能な溝部が設けられ、前記他方の分割体における前記壁部が、前記一方の分割体における前記溝部の内面によって挟まれた状態でスライド可能とされ、
前記第１保持孔及び前記第２保持孔は、前記両分割体における前記スライド方向に沿った壁部においてその壁面に沿った向きに開口する形態とされるとともに、前記保持部品が前記スライド方向に沿った壁部内に収容されるようになっていることを特徴とする収容箱。
【請求項５】
前記両分割体のうち前記スライド方向に沿った壁部には、それぞれ収容物を支持可能な支持部が設けられており、前記両分割体を組み付けた状態で前記両支持部の支持面がほぼ揃えられていることを特徴とする請求項１ないし請求項４のいずれかに記載の収容箱。
【発明の詳細な説明】
【技術分野】
【０００１】
本発明は、収容箱に関する。
【背景技術】
【０００２】
液晶表示装置を構成する液晶パネルの製造工程は、大まかには次のようになっている。一対の大型のマザーガラスの表面にそれぞれスイッチング素子や画素電極などを形成したら、マザーガラスを互いに対向した状態で且つ所定の間隔を空けた状態で貼り合わせるとともに、両マザーガラス間に液晶を充填し、その後マザーガラスを所定の大きさに分断することで、複数枚の液晶パネルが得られるようになっている。
【０００３】
分断した液晶パネルには、引き続いて点灯検査を行った後に偏光板を貼り付けるなどの作業が行われるのであるが、その工程において液晶パネルを保管したり、搬送するにあたって液晶パネルの大きさに合わせた収容箱が用いられる。収容箱は、大まかには上面側が開口するとともにその開口部から液晶パネルを収容可能な収容箱本体を備える。
【０００４】
ところで、液晶パネルが大型のものの場合には、それに合わせて収容箱も大型のものが必要となる。そのため、液晶パネルを収容しない、非使用時において収容箱を多数個工場内の保管エリアにて保管しようとしたとき、その保管エリアを専用するスペースが大きくなってしまうという問題があった。
【０００５】
そこで、収容箱の大きさを変更できるようにしたものとして下記特許文献１に記載されたものが知られている。このものは、図１０に示すように、収容箱本体１を一対の分割体２と、両分割体２が互いに接離可能な状態で組み付けられるパレット３とから構成され、非使用時には両分割体２を互いの側壁２ａの対向面同士が接触する位置として全体を小さくし、使用時には両分割体２を互いの側壁２ａの対向面同士が離間する位置として全体を大きくできるようになっている。この収容箱では、使用時に両分割体２の側壁２ａ間に隙間４が形成されてそこから収容物が外部に露出するため、この隙間４にスペーサ５を取り付けることで、収容物の露出を防ぐようにしている。
【特許文献１】特開２００４−６７１５４公報
【発明の開示】
【発明が解決しようとする課題】
【０００６】
上記したように従来の収容箱では、収容物の露出防止のため、スペーサ５が別途に必要とされていた。このスペーサ５は、収容箱を使用しないときは両分割体２からは外されるため、その置き場所が別途に必要となるなどの問題があった。
【０００７】
その上、従来の収容箱は、小さくした状態では収容物を収容しない設定とされているため、小さくした状態から両分割体２が離れる方向へ移動するのを規制する構造とはなっていない。従って、小さくした状態で収容物を収容して使用することができず、例えば大小２種類の収容物を収容することはできない構造となっていた。
【０００８】
本発明は上記のような事情に基づいて完成されたものであって、スペーサが不要で且つ大きさが異なる収容物にも対応できる収容箱を提供することを目的とする。
【課題を解決するための手段】
【０００９】
上記の目的を達成するための手段として、請求項１の発明は、少なくとも一面が開口する略箱型をなすとともにその開口部から収容物を収容可能な収容箱本体を備えた収容箱において、前記収容箱本体は、互いの壁面同士が重なった状態でスライド可能に組み付けられる一対の分割体により構成されるとともに、両分割体を互いの壁面の重なり量が異なる複数の位置にてスライド不能に保持可能な保持手段を備えている構成としたところに特徴を有する。
【００１０】
請求項２の発明は、請求項１に記載のものにおいて、前記保持手段は、前記両分割体のうち片方の分割体に設けられるとともに両分割体のスライド方向について異なる位置に配された複数の第１保持孔と、もう片方の分割体に設けられるとともに前記第１保持孔に対して連通可能な第２保持孔と、互いに連通した第１保持孔及び第２保持孔に挿入されるとともに第１保持孔及び第２保持孔の周縁に係止可能な保持部品とから構成されているところに特徴を有する。
【００１１】
請求項３の発明は、請求項１または請求項２に記載のものにおいて、前記両分割体のうちいずれか一方の分割体における前記スライド方向に沿った壁部の端面には、他方の分割体における前記スライド方向に沿った壁部を内嵌可能な溝部が設けられ、前記他方の分割体における前記壁部が、前記一方の分割体における前記溝部の内面によって挟まれた状態でスライド可能とされているところに特徴を有する。
【００１２】
請求項４の発明は、請求項２に記載のものにおいて、前記両分割体のうちいずれか一方の分割体における前記スライド方向に沿った壁部の端面には、他方の分割体における前記スライド方向に沿った壁部を内嵌可能な溝部が設けられ、前記他方の分割体における前記壁部が、前記一方の分割体における前記溝部の内面によって挟まれた状態でスライド可能とされ、前記第１保持孔及び前記第２保持孔は、前記両分割体における前記スライド方向に沿った壁部においてその壁面に沿った向きに開口する形態とされるとともに、前記保持部品が前記スライド方向に沿った壁部内に収容されるようになっているところに特徴を有する。
【００１３】
請求項５の発明は、請求項１ないし請求項４のいずれかに記載のものにおいて、前記両分割体のうち前記スライド方向に沿った壁部には、それぞれ収容物を支持可能な支持部が設けられており、前記両分割体を組み付けた状態で前記両支持部の支持面がほぼ揃えられているところに特徴を有する。
【発明の効果】
【００１４】
＜請求項１の発明＞
収容箱本体が、互いの壁面同士が重なった状態でスライド可能に組み付けられる一対の分割体により構成され、壁面間に隙間が生じることがないから、従来のようなスペーサを用いる必要がない。その上、両分割体は、保持手段によって互いの壁面の重なり量が異なる複数の位置にてスライド不能に保持されるようになっているから、大きさが異なる収容物にも対応することができる。
【００１５】
＜請求項２の発明＞
両分割体を、第１保持孔と第２保持孔とが連通するような位置に保ちつつ、保持部品を第１保持孔及び第２保持孔に挿入する。すると、保持部品が第１保持孔及び第２保持孔の周縁に係止されることで、両分割体がスライド不能に保持される。収容箱本体の大きさを変更する際には、保持部品を取り外して両分割体をスライドさせ、上記とは異なる第１保持孔に第２保持孔を連通させつつ再度保持部品を挿入する。
【００１６】
＜請求項３の発明＞
他方の分割体におけるスライド方向に沿った壁部が、一方の分割体におけるスライド方向に沿った壁部の端面に設けられた溝部に内嵌されるとともに溝部の内面によって挟まれた状態でスライド可能とされるから、スライド動作がスムーズなものとなるとともに、組み付けられた両分割体が外れ難くなり、もって作業性に優れる。
【００１７】
＜請求項４の発明＞
第１保持孔及び第２保持孔が両分割体におけるスライド方向に沿った壁部においてその壁面に沿った向きに開口する形態とされ、そこに挿入される保持部品がその壁部内に収容されるようになっているから、保持部品が収容物の収容スペース側に突出することがない。仮に保持部品が収容スペース側に突出し、その分の収容スペースを大きくする必要があるものと比較すると、収容箱本体の小型化に寄与できる。
【００１８】
＜請求項５の発明＞
両分割体の壁面同士が重なり合う構成だと、スライド方向に沿った両壁部間に段差が形成されることになるが、収容物を支持する両支持部の支持面がほぼ揃えられているので、段差を解消して収容物を安定的に支持することができる。
【発明を実施するための最良の形態】
【００１９】
＜実施形態１＞
本発明の実施形態１を図１ないし図７によって説明する。この実施形態１では、液晶表示装置を構成する矩形状の液晶パネルＰを収容する収容箱１０について例示する。なお以下では、上下方向については図２などを基準とする。
【００２０】
収容箱１０は、図１及び図２に示すように、全体が液晶パネルＰに合わせて横長形状とされるとともに、液晶パネルＰが板面を立てた姿勢で且つ長手方向を一致させた状態で収容されるようになっている。収容箱１０は、大まかには、上面側が開口する略箱型をなすとともにその開口部１２から液晶パネルＰを収容可能な収容箱本体１１と、下面側が開口し収容箱本体１１よりも浅い略箱型をなすとともに収容箱本体１１の開口部１２を閉止可能な蓋体１３とから構成される。この収容箱１０は、後述するように大きさが異なる３種類の液晶パネルＰを収容できるようになっている。また収容箱本体１１や蓋体１３の高さ寸法は、最も大型の液晶パネルＰＣの短辺側の寸法に合わせて設定される。
【００２１】
収容箱本体１１は、合成樹脂製（例えば塩化ビニル製）とされるとともに一対の分割体１４，１５を組み付けることで略箱型に形成されるようになっており、液晶パネルＰが両分割体１４，１５に跨る態様で収容されるようになっている。これら両分割体１４，１５は、上面側と互いの組付方向先端側が開放されており、底壁１４ａ，１５ａと、底壁１４ａ，１５ａの側縁から立ち上がる一対の側壁１４ｂ，１５ｂと、両側壁１４ｂ，１５ｂを連結する連結壁１４ｃ，１５ｃとから構成される。なお蓋体１３についても同様に一対の分割体１６，１７を組み付けた構成とされ、互いの組付構造や保持構造なども収容箱本体１１とほぼ同様であるため、収容箱本体１１側と重複する説明については省略するとともに、同様の構造については同一符号を付すものとする。
【００２２】
収容箱本体１１を構成する両分割体１４，１５は、図１に示す左側が第１分割体１４、同図右側が第２分割体１５とされる。第１分割体１４を構成する底壁１４ａ及び両側壁１４ｂにおける開放側の端面（両分割体１４，１５のスライド方向と直交する端面）には、溝部１８が側方へ開口する形態で形成され、ここに第２分割体１５の底壁１５ａ及び両側壁１５ｂが内嵌されることで、両分割体１４，１５が組み付けられて収容箱本体１１が形成されるようになっている。この組み付け状態では、両分割体１４，１５が互いの連結壁１４ｃ，１５ｃを接離させる方向（液晶パネルＰの長手方向）へスライド可能とされ、それに伴って収容箱本体１１の大きさを収容する液晶パネルＰの大きさ（長辺側の長さ寸法）に合わせて変更できるようになっている。なお両分割体１４，１５のうちスライド方向に沿った壁部である底壁１４ａ，１５ａと両側壁１４ｂ，１５ｂとを合わせてスライド壁１９，２０と呼ぶこととする。
【００２３】
第１分割体１４のスライド壁１９は、溝部１８によって内壁体１９ａと外壁体１９ｂとに分離されており、第２分割体１５を組み付けた状態では、第２分割体１５のスライド壁２０が上記した内壁体１９ａと外壁体１９ｂとにより挟まれることで、断面が三層構造となる（図４参照）。また第１分割体１４の両側壁１４ｂの上端部には、内壁体１９ａと外壁体１９ｂとを連結する連結部１９ｃが残されている。言い換えると、溝部１８は、スライド壁１９に沿って断面略「コ」の字型をなしており、この溝部１８によりスライド壁１９が側方へ開口した袋状に形成される。また第２分割体１５のスライド壁２０は、溝部１８内に嵌合される先端側の所定長さ分について根元側よりも内壁体１９ａ及び外壁体１９ｂの分だけ段付き状に薄く形成されている。従って、スライド壁２０の底壁１５ａにおける根元部分の内面は、第１分割体１４の底壁１４ａの内面とほぼ面一状になっている。
【００２４】
そして、これら両分割体１４，１５は、次述する保持手段によって互いのスライド壁１９，２０同士の重なり量が異なる３つの位置にてスライド不能に保持されるようになっている。保持手段は、第１分割体１４に設けられた３種類の第１保持孔２１と、第２分割体１５に設けられた第２保持孔２２と、互いに連通した第１保持孔２１及び第２保持孔２２に対して挿入可能な保持部品２３とから構成される。第１保持孔２１は、収容する液晶パネルＰの大きさに合わせて小型用第１保持孔２１Ａ、中型用第１保持孔２１Ｂ、及び大型用第１保持孔２１Ｃの３種類とされる。なお以下では第１保持孔２１や液晶パネルＰを区別する場合には、小型のものの符号に添え字Ａを、中型のものの符号に添え字Ｂを、大型のものの符号に添え字Ｃを付し、区別せずに総称する場合には、符号に添え字を付さないものとする。
【００２５】
第１分割体１４における両側壁１４ｂには、図示左から順に小型用第１保持孔２１Ａ、中型用第１保持孔２１Ｂ、及び大型用第１保持孔２１Ｃが互いに横方向（両分割体１４，１５のスライド方向）について離間した位置に設けられている。各第１保持孔２１は、両側壁１４ｂの内壁体１９ａ及び外壁体１９ｂを共に貫通する形態とされるとともに、上下方向に沿ってほぼ等間隔に４つずつ並んで配されている。これに対し、第２保持孔２２は、第２分割体１５における両側壁１５ｂにおいて各第１保持孔２１と同じ高さ位置に４つずつ並んで設けられている。なお蓋体１３における両保持孔２１，２２は、上下に２つずつ設けられている点でのみ異なる。
【００２６】
そして、互いに組み付けた両分割体１４，１５における両スライド壁１９，２０の重なり量が所定値のとき、第２保持孔２２が各第１保持孔２１のいずれかと連通されるので、両保持孔２１，２２に保持部品２３を挿入することで両分割体１４，１５がスライド不能に保持されるようになっている。詳しくは、両スライド壁１９，２０の重なり量は、小型用第１保持孔２１Ａと第２保持孔２２とが連通するときが最も多く、大型用第１保持孔２１Ｃと第２保持孔２２とが連通するときが最も少なくなる。
【００２７】
保持部品２３は、略円柱状をなす軸部２３ａと、軸部２３ａの一端側において傘状に張り出す頭部２３ｂと、軸部２３ａの他端側に設けられた複数の掛止片２３ｃとから構成される。この保持部品２３のうち軸部２３ａが両保持孔２１，２２の周縁に対して係止されるようになっている。掛止片２３ｃは、頭部２３ｂ側へ突出する片持ち状に形成され、保持部品２３を両保持孔２１，２２に挿入する際には軸部２３ａ側へ窄むよう弾性変形可能とされる。保持部品２３を両保持孔２１，２２に正規深さまで挿入すると、第１保持孔２１の周縁裏面（内壁体１９ａの内面）に対して引っ掛かることで、保持部品２３が抜け止め状態に保たれるようになっている（図７参照）。
【００２８】
両分割体１４，１５における底壁１４ａ，１５ａ及び連結壁１４ｃ，１５ｃには、収容される液晶パネルＰを支持するための支持部２４，２５が設けられている。両支持部２４，２５は、緩衝性能に優れた樹脂製（例えば発泡スチロール製）とされるとともに、底壁１４ａ，１５ａ及び連結壁１４ｃ，１５ｃのほぼ全幅にわたって貼設されている。両支持部２４，２５は、断面略「Ｌ」字型をなすとともに、収容される液晶パネルＰ同士を仕切るための仕切り溝部２６，２７を備えている。仕切り溝部２６，２７は、両支持部２４，２５において複数ずつ、幅方向等間隔に並んで設けられている。この仕切り溝部２６，２７の周縁によって各液晶パネルＰが互いに平行な姿勢で支持可能とされる。
【００２９】
そして、両仕切り溝部２６，２７のうち、液晶パネルＰの底側の端面に対する支持面２６ａ，２７ａは、両分割体１４，１５を組み付けた状態でほぼ同一の高さになるよう揃えられている。詳しくは、第１分割体１４における底壁１４ａの内面と、第２分割体１５における底壁１５ａの先端部分における内面との間には、溝部１８内に第２分割体１５の底壁１５ａの先端部分が進入するという構造上、内壁体１９ａの分の段差が生じている。ところが、第２分割体１５の底壁１５ａにおける根元部分が上記段差分だけ内側に張り出して形成されているので、支持部２５が支持部２４と同じ厚みであっても、両仕切り溝部２６，２７の支持面２６ａ，２７ａがほぼ面一状に揃えられる。これにより、両分割体１４，１５に跨って収容される液晶パネルＰを水平な姿勢で支持できるようになっている。また底壁１５ａの根元部分は、外壁体１９ｂの分だけ外側に張り出して形成されているので、その下面が底壁１４ａの下面とほぼ面一状とされる。
【００３０】
本実施形態は以上のような構造であり、続いてその作用を説明する。まず、小型の液晶パネルＰＡを収容する場合には、収容箱本体１１の両分割体１４，１５をスライドさせるとともに小型用第１保持孔２１Ａと第２保持孔２２とを連通させる。その状態で両保持孔２１，２２に対して保持部品２３を挿入することで、図３に示すように、両分割体１４，１５をスライド不能に保持するとともに、収容箱本体１１を小型の液晶パネルＰＡに適合した大きさとする。
【００３１】
この状態で、図４に示すように、開口部１２を通して収容箱本体１１内に小型の液晶パネルＰＡを収容する作業を行う。液晶パネルＰＡは、両支持部２４，２５に設けられた仕切り溝部２６，２７内に挿入されることで、隣り合う液晶パネルＰＡと干渉することなく平行な姿勢で支持される。このとき、両仕切り溝部２６，２７の支持面２６ａ，２７ａが揃えられているので、液晶パネルＰＡが傾くことなく水平な姿勢で安定的に支持される。全ての液晶パネルＰＡを収容し終えたら、収容箱本体１１と同様にして蓋体１３についても小型の液晶パネルＰＡに適合する大きさとしてから収容箱本体１１に対して上から取り付けることで、その開口部１２を閉止する。
【００３２】
上記収容箱から小型の液晶パネルＰＡを取り出した後、続いて異なる大きさ、例えば大型の液晶パネルＰＣを収容する場合には、次のようにする。まず、収容箱本体１１の大きさを変更する必要があるため、各保持部品２３を取り外すようにする。このとき、掛止片２３ｃを摘んでその引っ掛かり状態を解除しつつ頭部２３ｂを引っ張り抜くようにする（図７参照）。
【００３３】
そして、両分割体１４，１５を互いの連結壁１４ｃ，１５ｃが離間する向きにスライドさせるとともに大型用第１保持孔２１Ｃと第２保持孔２２とを連通させる。その状態で両保持孔２１，２２に対して保持部品２３を挿入することで、図５に示すように、収容箱本体１１を大型の液晶パネルＰＣに適合した大きさに保持する。この状態で、図６に示すように、収容箱本体１１内に大型の液晶パネルＰＣを収容する。このとき、大型の液晶パネルＰＣは、両支持部２４，２５によって長さ方向の両端部が支持されるので、中央部分が支持されずとも安定的な支持が図られる。また蓋体１３についても同様にして大型の液晶パネルＰＣに適合する大きさとして用いる。
【００３４】
なお、上記収容箱１０から大型の液晶パネルＰＣを取り出した後、中型の液晶パネルＰを収容するには、図示はしないが、両分割体１４，１５を互いの連結壁１４ｃ，１５ｃを接近する向きにスライドさせるとともに中型用第１保持孔２１Ｂと第２保持孔２２とを連通させてそこに保持部品２３を挿入して収容箱本体１１を中型用の大きさに保持すればよい。
【００３５】
また収容箱１０内に液晶パネルＰを収容せず、工場内の保管エリアなどに保管する際には、図３及び図４に示すように、最も容積が小さくなるよう小型の液晶パネルＰＡ用の大きさとする。これにより、非使用時における保管エリアの省スペース化を図ることができる。
【００３６】
以上説明したように本実施形態によれば、収容箱本体１１を互いの壁面同士が重なった状態でスライド可能に組み付けられる一対の分割体１４，１５により構成し、両分割体１４，１５を互いの壁面の重なり量が異なる複数の位置にてスライド不能に保持可能な保持手段を備えるようにしたから、両分割体１４，１５の壁面間に隙間が生じることがなく、従って従来のようなスペーサが不要となってその置き場所を確保するなどの問題を解消できる。その上、保持手段によって収容箱本体１１を液晶パネルＰの大きさに適合した大きさに保持できるから、大きさが異なる液晶パネルＰにも対応することができる。
【００３７】
また、保持手段が第１分割体１４に設けられるとともに両分割体１４，１５のスライド方向について異なる位置に配された３つの第１保持孔２１と、第２分割体１５に設けられるとともに各第１保持孔２１と連通可能な第２保持孔２２と、互いに連通した第１保持孔２１及び第２保持孔２２に挿入されるとともに第１保持孔２１及び第２保持孔２２の周縁に係止可能な保持部品２３とから構成されるから、収容箱本体１１の大きさの変更を容易に行うことができ、作業性に優れる。
【００３８】
また、第１分割体１４におけるスライド壁１９の端面に、第２分割体１５におけるスライド壁２０を内嵌可能な溝部１８を設け、第２分割体１５のスライド壁２０が第１分割体１４における溝部１８の内面によって挟まれた状態でスライドされるようになっているから、両分割体１４，１５のスライド動作がスムーズなものとなるとともに、組み付けた両分割体１４，１５が外れ難くなり、もって作業性に優れる。また第１分割体１４のスライド壁１９の内壁体１９ａと外壁体１９ｂとで第２分割体１５のスライド壁２０を挟んだ三層構造となるから、強度上も優れ撓み難くなっている。
【００３９】
また両分割体１４，１５のスライド壁１９，２０である底壁１４ａ，１５ａには、液晶パネルＰを支持可能な支持部２４，２５が設けられ、両分割体１４，１５を組み付けた状態で両支持部２４，２５の支持面２６ａ，２７ａがほぼ揃えられているから、両底壁１４ａ，１５ａ間に生じる段差を解消して液晶パネルＰを水平な姿勢で安定的に支持することができる。
【００４０】
＜実施形態２＞
本発明の実施形態２を図８または図９によって説明する。この実施形態２では、両分割体１４，１５の保持構造を変更したものを示す。なおこの実施形態２では、上記した実施形態１と同様の構造、作用及び効果について重複する説明は省略する。
【００４１】
第１保持孔３０は、図８に示すように、第１分割体１４の両側壁１４ｂの上端部（スライド壁１９の連結部１９ｃ）において上方、すなわち側壁１４ｂの壁面に沿った向きに開口する形態で形成されている。各第１保持孔３０は、スライド壁１９の連結部１９ｃを貫通するとともに溝部１８に連通している。また第１保持孔３０は、図示左から順に小型用第１保持孔３０Ａ、中型用第１保持孔３０Ｂ、及び大型用第１保持孔３０Ｃが互いに横方向（両分割体１４，１５のスライド方向）について離間した位置に設けられている。
【００４２】
第２保持孔３１は、第２分割体１５の両側壁１５ｂの上端面（組み付け時における第１分割体１４の連結部１９ｃとの対向面）において第１保持孔３０と同様に上方へ開口する形態で形成されている。第２保持孔３１は、両側壁１５ｂにおいて所定深さの凹所として形成され、非貫通の形態とされる。保持部品３２は、略円柱状をなす軸部３２ａと、軸部３２ａの一端側に傘状に張り出す頭部３２ｂとから構成される。
【００４３】
なお、蓋体１３の両分割体１６，１７におけるスライド壁１９，２０の側壁の上端面にも同様の第１保持孔３０及び第２保持孔３１が設けられており、そこに上方から保持部品３２が挿入可能とされているが、詳しい構造は上記した収容箱本体１１側と同様なのでその説明は省略する。
【００４４】
液晶パネルＰを収容するには、収容箱本体１１における両分割体１４，１５をスライドさせるとともに、図９に示すように、収容する液晶パネルＰに適合した第１保持孔３０に第２保持孔３１を連通させ、その状態に保ちつつ両保持孔３０，３１内に上方から保持部品３２を挿入する。これにより、保持部品３２が両保持孔３０，３１の周縁に係止して両分割体１４，１５がスライド不能に保持される。
【００４５】
このとき、保持部品３２は、その軸線が側壁１４ｂ，１５ｂの板面に沿った方向と一致しているとともに側壁１４ｂ，１５ｂの板面に沿って形成された第１保持孔３０及び第２保持孔３１内に配され、側壁１４ｂ，１５ｂ内に収容されているので、液晶パネルＰの収容スペース側へ突出することがない。従って、実施形態１のように保持部品２３が収容スペース側に突出するため、その分の収容スペースを大きくする必要があるものと比較すると（図７参照）、収容箱本体１１の小型化に寄与できる。またこの保持部品３２は、自重により抜け止め状態に保持されるので、格別な抜け止め構造が不要となっており、従って収容箱１０の大きさ変更に伴う着脱作業が容易になっている。
【００４６】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００４７】
（１）上記した各実施形態では、第１分割体側に複数の第１保持孔を、第２分割体側に第２保持孔を設けるようにした場合を示したが、逆に第１分割体側に第２保持孔を、第２分割体側に複数の第１保持孔を設けるようにしてもよい。
【００４８】
（２）上記した実施形態１では、第１保持孔が側壁の内壁体及び外壁体に連通する形態のものを示したが、外壁体または内壁体のいずれのみを貫通する形態としてもよい。また第２保持孔について側壁を貫通しない凹所として形成するようにしてもよい。
【００４９】
（３）上記した各実施形態に記載した保持部品以外にも、例えば保持部品の軸部にねじ山を形成し、第２保持孔にねじ溝を形成することで保持部品の抜け止めを図るようにしてもよい。
【００５０】
（４）上記した各実施形態では、第２分割体の底壁の厚みを先端側と根元側とで変更することにより第１分割体の底壁との間に生じる段差を解消するものを例示したが、両分割体の両支持部の厚みを変更することにより段差を解消するようにしてもよい。
【００５１】
（５）上記した各実施形態では、第１分割体の溝部に第２分割体のスライド壁が内嵌される形態のものを例示したが、溝部を省略し、両分割体のスライド壁同士が内外に重なる状態でスライドできるようにしたものも本発明に含まれる。
【００５２】
（６）上記した各実施形態では、収容箱本体と蓋体とが分離されたものを例示したが、蓋体が収容箱本体に対してヒンジなどを介して一体的に連結された構造のものも本発明に含まれる。また蓋体を有さない収容箱にも本発明は適用可能である。
【００５３】
（７）上記した各実施形態では、上面側のみが開口する収容箱を例示したが、２面が開口する形態のものも本発明に含まれる。
【００５４】
（８）上記した各実施形態では、保持手段が第１保持孔、第２保持孔、及び保持部品から構成されるものを例示したが、それ以外の手段を用いるようにしてもよい。
【００５５】
（９）上記した各実施形態では、収容物として液晶パネルを例示したが、その他の種類の収容物を収容するものにも本発明は適用可能である。
【図面の簡単な説明】
【００５６】
【図１】本発明の実施形態１に係る収容箱の分解斜視図
【図２】収容箱の分解縦断面図
【図３】小型の液晶パネルに適合する大きさとした収容箱の側面図
【図４】小型の液晶パネルに適合する大きさとした収容箱の縦断面図
【図５】大型の液晶パネルに適合する大きさとした収容箱の側面図
【図６】大型の液晶パネルに適合する大きさとした収容箱の縦断面図
【図７】保持構造の拡大断面図
【図８】本発明の実施形態２に係る収容箱の分解斜視図
【図９】収容箱の横断面図
【図１０】従来例の説明図
【符号の説明】
【００５７】
１０…収容箱
１１…収容箱本体
１２…開口部
１４…第１分割体（分割体）
１５…第２分割体（分割体）
１８…溝部
１９，２０…スライド壁（スライド方向に沿った壁部）
２１，３０…第１保持孔（保持手段）
２２，３１…第２保持孔（保持手段）
２３，３２…保持部品（保持手段）
２４，２５…支持部
２６ａ，２７ａ…支持面
Ｐ…液晶パネル（収容物）
【図１】
2007008559.tif 000003
【図２】
2007008559.tif 000004
【図３】
2007008559.tif 000005
【図４】
2007008559.tif 000006
【図５】
2007008559.tif 000007
【図６】
2007008559.tif 000008
【図７】
2007008559.tif 000009
【図８】
2007008559.tif 000010
【図９】
2007008559.tif 000011
【図１０】
2007008559.tif 000012